(57)【要約】【目的】項目の判読性を損なうことなく、しかも、ユーザにストレスを与えることなくスクロールの高速化が可能な「リストスクロール方法およびリストスクロール装置」を提供することにある。【構成】所定の速度でリストのスクロールを行うリストスクロール方法において、ｎ個ごとの項目のスクロール表示を要求し、前記要求があったときｎ個ごとの項目をスクロール表示し、スクロールの停止が指示されたとき、スクロールを停止し、該スクロール停止時に最下段に表示されている項目を表示画面の中央に表示すると共に、該項目に前後で連続する複数の項目のリストを表示する。【選択図】図８
2013092778.tif 000002
【特許請求の範囲】
【請求項１】
所定の速度でリストのスクロールを行うリストスクロール方法において、
ｎ個ごとの項目のスクロール表示を要求するステップ、
前記要求があったときｎ個ごとの項目をスクロール表示するステップ、
スクロールの停止が指示されたとき、スクロールを停止するステップ、
スクロール停止時に最下段に表示されている項目を表示画面の中央に表示すると共に、該項目に前後で連続する複数の項目のリストを表示するステップ、
を備えたことを特徴とするリストスクロール方法。
【請求項２】
所定の速度でリストのスクロールを行うリストスクロール装置において、
複数の項目を表示する表示部と、
ｎ個ごとの項目のスクロール表示を要求する要求部と、
前記要求部より要求があったときｎ個ごとの項目をスクロール表示する制御部と、
スクロール停止を指示するスクロール停止指示部を備え、
前記制御部は、該スクロール停止指示部からスクロール停止が指示されたとき最下段に表示されている項目を表示画面の中央に表示すると共に、該項目に前後で連続する複数の項目のリストを表示する、
ことを特徴とするリストスクロール装置。
【発明の詳細な説明】
【技術分野】
【０００１】
本発明はリストスクロール方法およびリストスクロール装置に関わり、特に低速から高速まで所定の速度でスクロールするリストスクロール方法およびリストスクロール装置に関する。
【背景技術】
【０００２】
近年、半導体メモリやハードディスクなど記録媒体の大容量化が進んでおり、大容量の記録媒体を搭載したナビゲーション装置やオーディオ装置が広く提供されている。その記録媒体中にはナビゲーション装置であれば全国の施設や地名などに関する情報が記録され、オーディオ装置であれば多数の楽曲などが記録されており、その情報量は膨大である。その膨大な情報量からユーザは所望の情報を検索する必要が頻繁に発生する。ところで、検索対象の情報はリスト化され、アルファベット順、あるいは５０音順などに上から順に並べられている。該リストより所望の情報を検索するには、該リストの先頭から所定数（例えば先頭から５項目）の項目を表示画面に表示し、表示画面に表示された項目の中に所望の項目がない場合には、ユーザがリストのスクロール操作を行って、所望の項目を探すことになる。
【０００３】
しかし、膨大な検索対象の中から所望の項目を探す場合、低速のリストスクロールでは所望の項目を探し出すまでには相当な時間を費やす可能性があり、一方、高速のリストスクロールでは項目の判読性が低下し、ユーザは所望の項目を探すために大きな負担を感じる可能性がある。
【０００４】
そこで、第１の従来技術として、低速のリストスクロールの場合には、通常の１項目ずつのスクロールを行い、高速のリストスクロールの場合にはページ送りし、１項目ずつのスクロールよりも高速の項目のスクロールを実現する技術（特許文献１参照）がある。この第１の従来技術において、低速のリストスクロールを行う場合には、図９（Ａ）に示すように通常の１項目ずつのスクロールを行い、高速のリストスクロールの場合には、図９（Ｂ）に示すようにページ送り、すなわち複数項目ずつ一括してスクロールして、１項目ずつのスクロールよりも高速のスクロールを実現する。尚、（Ａ）の１項目ずつのスクロール速度と、（Ｂ）の一括スクロール速度は同じである。また、図において１は実際のリスト、２は表示画面である。
【０００５】
また、第２の従来技術として、１項目ずつ高速でスクロールする第１表示エリアと、第１表示エリアで７項目スクロールした時にリストの項目を１項目スクロールする第２表示エリアとの二つの表示画面に分け、高速スクロールを実現する技術（特許文献２参照）がある。すなわち、図１０に示すように第１表示エリア３、第２表示エリア４を設け、図１０の（Ａ）、（Ｂ）、（Ｃ）に示すように第１表示エリアでは１項目ずつ高速にスクロール表示し、第２表示エリアでは第１表示エリアで７項目スクロールした時リストの８番目の項目を表示する。なお、図において１は実際のリストである。
【先行技術文献】
【特許文献】
【０００６】
【特許文献１】特開２０００−２４９５６８号公報
【特許文献２】特開２００７−１４０００４号公報
【発明の概要】
【発明が解決しようとする課題】
【０００７】
上記第１の従来技術では、高速スクロールの時の一括スクロールは低速スクロールの時の１項目ずつのスクロールと同じ速度で行うので、１項目ずつの更新時間でページに表示されている全項目を判読しなければならず、項目の判読が困難となる問題がある。
上記第２の従来技術では、第２表示エリアは複数項目スクロールが行われると更新されるが、第１表示エリアは１項目ずつの高速のスクロールが行われており、この１項目ずつの高速スクロールがユーザの視界に入り、ユーザがストレスを感じるという問題がある。
以上から本発明の第１の目的は、項目の判読性を損なうことなく、しかも、ユーザにストレスを与えることなくスクロールの高速化を可能にすることである。
本発明の第２の目的は、種々の速度でスクロールを行い、膨大な情報量から所望の項目を高速に探し出すことを可能にすることである。
本発明の第３の目的は、所望の項目を短時間で選択することを可能にすることである。
【課題を解決するための手段】
【０００８】
本発明は低速から高速まで所定の速度でリストのスクロールを行うリストスクロール方法およびリストスクロール装置である。
・リストスクロール方法
本発明のリストスクロール方法は、ｎ個ごとの項目のスクロール表示を要求するステップ、前記要求があったときｎ個ごとの項目をスクロール表示するステップ、スクロールの停止が指示されたとき、スクロールを停止するステップ、スクロール停止時に最下段に表示されている項目を表示画面の中央に表示すると共に、該項目に前後で連続する複数の項目のリストを表示するステップ、を備えている。
・リストスクロール装置
本発明のリストスクロール装置は、複数の項目を表示する表示部と、ｎ個ごとの項目のスクロール表示を要求する要求部と、前記要求部より要求があったときｎ個ごとの項目をスクロール表示する制御部と、スクロール停止を指示するスクロール停止指示部を備え、前記制御部は、該スクロール停止指示部からスクロール停止が指示されたとき最下段に表示されている項目を表示画面の中央に表示すると共に、該項目に前後で連続する複数の項目のリストを表示する。
【発明の効果】
【０００９】
本発明によれば、ｎ個ごとの複数の項目のスクロール表示を要求し、前記要求があったときｎ個ごとにスクロール表示するので、項目の判読性を損なうことなく、しかもユーザにストレスを与えることなくスクロールの高速化を行うことができる。
また、本発明によれば、前記ｎを所定の値にすることにより、種々の速度でスクロールを行い、膨大な情報量から所望の項目を高速に探し出すことができる。
また、本発明によれば、スクロールの停止が指示されたとき、スクロールを停止し、スクロール停止時に最下段に表示されている項目が表示画面の中央に表示すると共に、該項目に前後で連続する複数の項目のリストを表示するようにしたので、所望の項目を短時間で選択することができる。
【図面の簡単な説明】
【００１０】
【図１】本発明の概略図である。
【図２】本発明を適用できるナビゲーション装置の構成図である。
【図３】地名データの階層構造である。
【図４】目的地設定のフローチャートである。
【図５】本発明のリストスクロール処理のフローチャートである。
【図６】タッチパネル式ディスプレイの表示例である。
【図７】詳細地点名のリスト表示例である。
【図８】スクロールを停止した時の詳細地点名のリスト表示例である。
【図９】第１の従来技術の表示例である。
【図１０】第２の従来技術の表示例である。
【発明を実施するための形態】
【００１１】
（Ａ）本発明の概略
図１は本発明の概略説明図である。１は実際のリスト、２は表示画面を示している。ユーザがｎを指定して、スクロール要求すると、図１（Ａ）に示すように、表示画面２は実際のリスト１の先頭からｎ個ごとの項目を所定数（例えば５項目）表示する。ただし、ここではｎ＝２の時のスクロールを説明する。スクロール指示が継続されていると、表示画面２が（Ａ）から（Ｂ）へと変化する。すなわち、（Ａ）に表示されている５項目それぞれが上方向に１項目分移動し、（Ａ）において最上段に表示されていた項目以外が表示画面２に表示され、表示画面２の最下段には、（Ａ）の最下段に表示されていた項目“ACTION”の２項目下の項目“AFTERGLOW”が表示されるようになる。スクロール操作部への操作が継続されていると、同様にして表示画面が（Ｂ）から（Ｃ）へと変化し、表示画面に表示されていた項目が上方向に１項目分移動し、最下段の項目“AFTERGLOW”の２項目下の項目“AFTER THE FIRE”が表示されるようになる。ｎ＝４の時には、同様にして４項目間隔で、かつ最下段に表示されている項目の４項目下の項目が順次表示されるようになる。このように、ｎを増加させることにより、スクロールの高速化を実現する。また、ｎ＝１にすれば、同様にして最下段に表示されている項目の１項目下の項目が順次表示されるようになる。
【００１２】
（Ｂ）ナビゲーション装置
車載用のナビゲーション装置は、自車位置周辺の地図をモニタのスクリーンに表示するとともに、目的地までの経路を探索して該地図上に表示し、かつ、車両位置マークを表示し、探索した経路に沿って走行するように誘導する。
図２は本発明のリストスクロール方法を適用できるナビゲーション装置の構成図である。
地図データ記憶部２１は地図を記憶する地図記憶媒体であり、自律航法センサ２２は図示しない方位センサ、速度センサなどから構成されており、ＧＰＳ受信機２３は衛星航法システムを利用している。地図情報メモリ２４は、自律航法センサ２２およびＧＰＳ受信装置２３より算出された現在位置に基づいて、地図データ記憶部２１から読み出した車両位置周辺の地図情報を記憶する。データベースメモリ２５は地名データや、全国の施設の住所データ、電話番号データなどさまざまなデータベースを記憶し、制御部２６はナビゲーション装置全体を制御するとともに、後述する本発明におけるｎ個ごとの項目のスクロール表示の制御を行っている。
【００１３】
ＲＯＭ２７は各種ソフトウェアを記憶するものであり、（１）誘導経路探索用ソフトウェア、（２）経路誘導ソフトウェアなどさまざまな制御プログラムを記憶する。ＲＡＭ２８は誘導経路データや各種処理結果を一時的に記憶し、ディスプレイコントローラ２９は地図画像・誘導経路などの画像を発生し、ＶＲＡＭ３０はディスプレイコントローラ２９が発生した画像を記憶する。リスト画像発生部３１は表示するリストの画像を発生し、かつリストのスクロールを行い、画像合成部３２は各画像を合成して、出力する。タッチパネル式ディスプレイ３３は画像合成部３２から出力される画像を表示するものであり、液晶などのディスプレイ画面（モニタ）３３ａとディスプレイ画面上に装備された透明なタッチパネル３３ｂとを備えており、タッチパネル３３ｂはタッチパネルインターフェース３４を介してスクロール指示が行われたことを制御部２６に入力し、制御部２６はスクロールのスタート、ストップの制御を行う。
【００１４】
図３は地名データの階層構造を説明する図であり、データベースメモリ２５に記憶されている地名データを例に挙げて説明を行う。
地名データは階層構造を備え、地名データ３５の最上位層として、県選択の階層３６があり、県選択の階層３６の中には市・郡選択の階層３７があり、市・郡選択の階層３７の中には地名選択の階層３８があり、地名選択の階層３８の中には詳細選択の階層３９がある。
【００１５】
図４は目的地設定のフローチャートである。尚、既に目的地設定モードになっているものとする。
目的地設定を行う場合、ユーザは、タッチパネル式ディスプレイ３３に表示される複数の目的地設定の方法（例えば、ジャンル別設定、電話番号設定、自宅設定、地点名設定、登録地点設定など）の中より所定の目的地設定方法、例えば地点名による目的地設定を選択する（ステップＳ４０１）。
そして、次に地点名を、名称キー入力によって行うか、リストから選択するかを決定する（ステップＳ４０２）。
ステップＳ４０２において、リストから選択することが指示されると制御部２６は地点名のリストの最上位層（県選択の階層３６）の先頭から所定数（例えば、５項目）の候補地をスクロール可能にタッチパネル式ディスプレイ３３に表示する（ステップＳ４０３）。
ステップＳ４０３において、タッチパネル式ディスプレイ３３に表示された候補地のリストの中から、ユーザは後述する本発明のリストスクロール方法で所望する地点名を選択し、順次階層を下げていき、最終的に目的地となる地点名を設定する（ステップＳ４０４）。
リスト選択を行う場合、候補の項目が少ない県選択の階層３６、市・郡選択の階層３７、地名選択の階層３８においては後述する本発明の低速スクロール（ｎ＝１）を用いて選択を行い、候補の項目が多い詳細選択の階層３９においては後述する本発明の高速スクロール（ｎ＝２以上）を用いて選択を行うことが好ましい。
【００１６】
（Ｃ）リストスクロール処理
図５は本発明におけるリストスクロール処理のフローチャートであり、図６はタッチパネル式ディスプレイ３３の表示例、図７、図８は本発明の詳細地点名のリスト表示例で、図７（Ａ）はｎ＝２の時の、（Ｂ）はｎ＝４の時の、（Ｃ）はｎ＝８の時の表示例である。尚、目的地を地名で設定するものとし、既に県選択階層３６、市・郡選択階層３７、地名選択階層３８までは選択を行っているものとし、例えば、「福島県いわき市平」まで選択を行っているものとする（図３参照）。
かかる状態において、制御部２６は、データベースメモリ２５より地名データの詳細選択階層３９のリスト項目を読み出し、リスト画像発生部３１に入力する。これによりリスト画像発生部３１は、図６に示すように詳細選択階層３９のリストの先頭の所定数（例えば、５項目）の項目をタッチパネル式ディスプレイ３３に表示するとともに、スクロールを行うためのソフトキー５を表示する（ステップＳ５０１）。各ソフトキー５ａから５ｅはｎ項目ごとの下方向スクロールあるいは上方向スクロールを行わせるためのキーであり、ソフトキー５ａはｎ＝１のスクロールキー、ソフトキー５ｂはｎ＝２のスクロールキー、ソフトキー５ｃはｎ＝４のスクロールキー、ソフトキー５ｄはｎ＝８のスクロールキー、ソフトキー５ｅはｎ＝１６のスクロールキーとなっている。
【００１７】
次に、制御部２６は、ユーザがソフトキー５の操作を行ったかの監視を行う（ステップＳ５０２）。
ステップＳ５０２において、ユーザがソフトキー５への操作を行った場合には、制御部２６は、ユーザが操作を行ったソフトキー５から項目間隔ｎを取得する（ステップＳ５０３）。
次に、制御部２６はステップＳ５０３において取得したｎに基づいて、タッチパネル式ディスプレイ３３にｎ個ごとのリストを表示させるようにリスト画像発生部３１にｎを入力し、かつスクロールを指示する（ステップＳ５０４）。これにより、ソフトキー５ｂが押されたものとした場合には、表示画面２は図７（Ａ）の（ａ）に示す画面に切り替わって２項目ごとに５個の項目を表示し、ソフトキー５ｃが押されたものとした場合には、図７（Ｂ）の（ａ）に示す画面に切り替わって４項目ごとに５個の項目を表示し、ソフトキー５ｄが押された場合には、図７（Ｃ）の（ａ）に示す画面に切り替わって８項目ごとに５個の項目を表示する。尚、ソフトキー５ａが押された場合には、通常の１項目ずつのスクロールを行い、ソフトキー５ｅが押された場合には１６個ごとの項目におけるスクロールが行われるが、本実施例ではｎ＝２で下方向へのスクロールについて説明を行う。
【００１８】
その後、ユーザのソフトキー５ｂの押下が継続すると、リスト画像発生部３１はｎ＝２のリストスクロールを行い、表示画面２は所定時間Ｔ経過後に図７（Ａ）の（ａ）の表示から、（ｂ）の表示へと変化する。リスト画像発生部３１は、ユーザがソフトキーへ操作を行っている間ずっと同様に所定時間Ｔごとに２項目ごとのスクロールを行う（ステップＳ５０５）。尚、時間Ｔは５項目全てを判読できる程度の時間である。
一方、制御部２６はユーザがソフトキー５へ行っていた操作が継続されているかの監視を行い（ステップＳ５０６）、ソフトキー５への操作が継続されていたらステップＳ５０７へ進み、継続されていなかったらステップＳ５０８へと進む。
【００１９】
ステップＳ５０６において、ユーザがソフトキーへ行っていた操作が継続されていた場合、制御部２６は、スクロールが実際のリスト１の最後まで行われたかの判断を行い（ステップＳ５０７）、スクロールが実際のリスト１の最後まで行われている場合にはスクロールを停止し、ステップ５０２へと戻り、スクロールが実際のリスト１の最後まで行われていない場合にはステップＳ５０５に戻る。
ステップＳ５０６において、たとえば、図７（Ａ）の（ｃ）の表示画面でユーザがソフトキーへ行っていた操作が継続されていなかった場合、すなわちソフトキーへ行っていた操作が停止された場合、制御部２６は、リスト画像発生部３１にスクロール停止を指示する。これにより、リスト画像発生部３１はスクロールを停止し、停止時に表示画面に表示されているリスト（図８（Ａ））の最下段の項目"久保町"を図８（Ｂ）に示すように表示画面の中央に移動させ（ステップＳ５０８）、かつ該項目“久保町” に連続する前後２項目ずつのトータル５個の項目リストを表示する（ステップＳ５０９）。
【００２０】
次に、所望の項目が表示されているか調べ（ステップＳ５１０）、表示されていたら、ステップＳ５１１に進み、ユーザは所望の項目を選択し、地点名による目的地設定が終了する（ステップＳ５１１）。一方、ステップＳ５１０において、所望の項目が表示されていなかったら、ｎ＝１の低速スクロールにて所望の項目が表示されるまでスクロールする（ステップＳ５１２、５１３）。
そして、所望の項目が表示されたら、ユーザは所望の項目を選択し、地点名による目的地設定が終了する（ステップＳ５１１）。
【００２１】
尚、ステップＳ５０８、Ｓ５０９で最下段の項目を中央にシフトして、その前後の項目を表示するようにした理由は以下の通りである。
下方向スクロールの場合ユーザの視線は新しい項目が表示される最下段の項目にあることがほとんどであり、最下段に目安となる項目が表示されると、スクロールを停止させる。そして、該最下段の項目の前後に所望の項目が存在する可能性が高い。このため、最下段に表示されている項目をシフトして中央に表示し、その前後の項目を表示させれば、短時間で所望の項目を選択できる可能性が高くなる。
以上の理由によりシフト表示するのである。
【００２２】
以上、実施例ではｎ＝２の場合について主に説明を行ったが、ｎ＝１，４，８，１６、・・・にして所定時間Ｔごとにスクロールすることにより、スクロール速度を１倍、４倍、８倍１６倍、・・・にすることができる。
以上、本実施例によれば、判読可能な所定時間Ｔの間ｎ項目ごとの表示をさせるようにしたので、項目の判読性を損なうことなく、しかも、ユーザにストレスを与えることなくスクロールの高速化ができる。
また、本実施例によれば、種々の速度でスクロールを行うことができ、膨大な情報量から所望の項目を高速に探し出すことができる。
また、本実施例によれば、所望の項目を短時間で選択することができる。
【００２３】
以上、本発明の例では表示されたｎ＝１、ｎ＝２、ｎ＝４、・・・の所定のソフトキーを押すことによりｎを選択したが、ｎの値を直接入力してもよく、またｎは２の累乗に限定されるものではない。
また、本発明では複数のスクロールキーによりスクロールを行ったが、１つのスクロールキーによりスクロールを行ってもよく、スクロールキー短押しで１項目ずつのスクロール、スクロールキー長押しでスクロール速度ｎ倍のスクロールを行ってもよい。
また、本発明のリストスクロール方法を適用できる装置としてナビゲーション装置を例にして説明を行ったが、これに限定されるものではなく、大量の曲情報、ビデオ情報などを記憶するオーディオ装置、ハードディスクレコーダなど、多くの項目（曲情報、ビデオ情報）の中から所望の項目を探すためにリスト表示させる必要がある装置すべてに適用可能である。
【符号の説明】
【００２４】
１ 実際のリスト
２ 表示画面
５ スクロールを行うためのソフトキー
２５ データベースメモリ
２６ 制御部
２９ ディスプレイコントローラ
３１ リスト画像発生部
３２ 画像合成部
３３ タッチパネル式ディスプレイ
３３ａ モニタ
３３ｂ タッチパネル
３４ タッチパネルインターフェース
３５ 地名データ
３６ 県選択階層
３７ 市・郡選択階層
３８ 地名選択階層
３９ 詳細選択階層
【図１】
2013092778.tif 000003
【図２】
2013092778.tif 000004
【図３】
2013092778.tif 000005
【図４】
2013092778.tif 000006
【図５】
2013092778.tif 000007
【図６】
2013092778.tif 000008
【図７】
2013092778.tif 000009
【図８】
2013092778.tif 000010
【図９】
2013092778.tif 000011
【図１０】
2013092778.tif 000012